(57)【特許請求の範囲】
【請求項１】
シャーシ上を移動することによりテープカセットが装着されたカセットホルダを所定装着位置に移動させるスライダーカムと、
前記スライダーカムに形成された被係合部と係合する係合部を有しており、前記テープカセットの挿入及び排出時に回動して前記スライダーカムを移動させる駆動アームと、
一端部が前記スライダーカムに接続されると共に他端部が前記係合部に接続されており、有する弾性力により前記係合部を前記被係合部に押圧付勢するトーションバネとを具備してなる磁気記録再生装置において、
前記トーションバネと前記係合部とが接続する位置に、樹脂により形成されると共に前記トーションバネの断面形状に対応した凹部を有したバネ受け部材を配設したことを特徴とする磁気記録再生装置。
【発明の詳細な説明】
【０００１】
【発明の属する技術分野】
本発明は磁気記録再生装置に係り、特にスライダーカムの被係合部に駆動アームの係合部が係合することにより、スライダーカムが駆動アームの回動に伴い移動する構成とされた磁気記録再生装置に関する。
【０００２】
【従来の技術】
一般にデジタルオーディオテープレコーダー（ＤＡＴ）等の磁気記録再生装置には、挿入されたテープカセットを装置内の所定記録再生位置に装着させると共に、記録再生処理が終了した後はテープカセットを装置内から排出させるカセット装着脱機構が設けられている。
【０００３】
このカセット装着脱機構は、大略するとテープカセットが装着されるカセットホルダと、このカセットホルダを水平及び垂直方向に移動付勢することによりテープカセットを装置内の所定記録再生位置に装着脱させるスライダーカムと、このスライダーカムを駆動させる駆動アーム等により構成されている。
カセットホルダの側部に配設されたシャフトは、磁気記録再生装置のシャーシ側壁に形成されＬ字溝と係合しており、よってこのＬ字溝に沿ってカセットホルダは水平及び垂直方向に移動可能な構成となっている。また、スライダーカムは磁気記録再生装置のシャーシ上を移動可能な構成とされており、その側壁には傾斜溝（カム）が形成されている。
【０００４】
この傾斜溝は、カセットホルダの側部に配設されたシャフトと係合するよう構成されている。従って、スライダーカムがシャーシ上を移動することにより、カセットホルダはこのＬ字溝及び傾斜溝に移動方向を規制されつつ移動する。これにより、カセットホルダは所定のテープカセットの装着脱動作を行う。
スライダーカムは、シャーシに配設された駆動アームにより駆動される。この駆動アームはモードモータにより回動する構成とされており、また駆動アームの先端部にはスライダーカムに形成されている被係合口と係合する係合ピンが配設されている。また、スライダーカムが駆動アームにより駆動される際、被係合口と係合する係合ピンとの間でガタツキが発生することを防止するため、スライダーカムと係合ピンとの間にはトーションバネが配設されており、このトーションバネの弾性力により係合ピンを被係合口の縁部に常に押圧付勢することにより、上記ガタツキの発生を防止している。
【０００５】
【発明が解決しようとする課題】
図８は、従来の磁気記録再生装置に設けられていた係合ピン近傍を拡大して示す図である。同図に示すように、係合ピン１７７は、スライダーカム（図示せず）の被係合口の縁部に当接するポスト部１７７ａと、その上部にトーションバネ１８０の端部１８０ａが当接するバネ受け部１７８（端部１８０ａが当接する面を当接面１７８ａという）とを有した構成とされている。
【０００６】
また、バネ受け部１７８の下部にはポスト部１７７ａと一体的に鍔部１７７ｂが形成されており、更にバネ受け部１７８の上部にはトーションバネ１８０の端部１８０ａが係合ピン１７７から離脱するのを防止する離脱防止板１７９が配設されている。
ところで、上記のようにスライダーカムは駆動アームの回動により移動されるため、被係合口と係合ピンとの係合状態は駆動アームの回動に伴い変化し、よってトーションバネ１８０の端部１８０ａとバネ受け部１７８との当接状態も変化する。具体的には、トーションバネ１８０の端部１８０ａはバネ受け部１７８上を端部１８０ａの延在方向（図８の紙面に対し鉛直方向）に変位すると共に、図中矢印Ｃ１，Ｃ２で示す方向にも変位する。
【０００７】
しかるに従来では、上記のように当接面１７８ａは平面とされており、この平面形状の当接面１７８ａに断面円形とされたトーションバネ１８０の端部１８０ａが当接する構成とされていた。このため、端部１８０ａと当接面１７８ａとは点接触となり、端部１８０ａは当接面１７８ａに対し図８の紙面の鉛直方向及び図中矢印Ｃ１，Ｃ２に摺動し、当接面１７８ａに摩耗が発生し易いという問題点があった。
【０００８】
また、図中矢印Ｃ１，Ｃ２方向に大きく端部１８０ａが変位した場合には、端部１８０ａが離脱防止板１７９或いは鍔部１７７ｂと当接してしまい、これによっても摩耗粉が発生してしまうという問題点があった。
このように、端部１８０ａとバネ受け部１７８（離脱防止板１７９，鍔部１７７ｂ）が当接し摩耗粉が発生すると、この摩耗粉は回転シリンダ５等の他の機器に付着するおそれがあり、適正な磁気記録再生処理の妨げになるおそれがある。
【０００９】
また、端部１８０ａとバネ受け部１７８（離脱防止板１７９，鍔部１７７ｂ）との間にグリースを塗布することにより摩耗粉の発生を抑制することも考えられるが、この場合にもグリースが他の機器に付着するおそれがある。
本発明は上記の点に鑑みてなされたものであり、トーションバネとバネ受け部との当接位置から摩耗粉の発生を抑制しうる磁気記録再生装置を提供することを目的とする。
【００１０】
【課題を解決するための手段】
上記課題を解決するために本発明では、
シャーシ上を移動することによりテープカセットが装着されたカセットホルダを所定装着位置に移動させるスライダーカムと、
前記スライダーカムに形成された被係合部と係合する係合部を有しており、前記テープカセットの挿入及び排出時に回動して前記スライダーカムを移動させる駆動アームと、
一端部が前記スライダーカムに接続されると共に他端部が前記係合部に接続されており、有する弾性力により前記係合部を前記被係合部に押圧付勢するトーションバネとを具備してなる磁気記録再生装置において、
前記トーションバネと前記係合部とが接続する位置に、樹脂により形成されると共に前記トーションバネの断面形状に対応した凹部を有したバネ受け部材を配設したことを特徴とするものである。
【００１１】
上記のように、トーションバネの断面形状に対応した凹部を有したバネ受け部材を配設したことにより、トーションバネと凹部は面接触となり当接面積を広くすることができる。また、トーションバネは凹部に係合することにより、その移動を規制することができる。よって、バネ受け部材とトーションバネとの間において摩耗粉が発生することを抑制することができ、これにより他の機器に摩耗粉による悪影響が発生することを防止できるため、良好な磁気記録再生処理を行うことができる。また、バネ受け部材は樹脂により形成されているため、トーションバネの断面形状に対応した凹部を容易に成形することができる。
【００１２】
【発明の実施の形態】
次に、本発明の実施の形態について図面と共に説明する。
図１及び図２は、本発明の一実施例である磁気記録再生装置１（以下、単に装置１という）を示している。各図では、装置１としてデジタルオーディオテープレコーダ（ＤＡＴ）を例に挙げて示している。尚、図１は装置１の平面図及び正面図であり、図２は装置１の分解斜視図である。
【００１３】
装置１は、上記のようにロータリタイプのデジタルオーディオテープレコーダ（ＤＡＴ）であり、大略するとシャーシ２上にカセット装着脱機構３、リール駆動機構４、回転シリンダ５、テープローディング機構６、プロテクト機構８Ａ，８Ｂ、モード切り換え機構２０等を配設した構成とされている。
リール駆動機構４は、供給側リール９及び巻き取り側リール１０を回転駆動するための機構である。この各リール９，１０は、装置１のモード（例えば記録／再生モード、早送り／巻き戻しモード、早送りサーチ／巻き戻しサーチモード等）によりその回転速度，回転方向等が制御される構成となっている。このためリール駆動機構４内には、図示しないリール用首振りアイドラーギヤ，種々の歯車，プーリ、アイドラ等がコンパクトに配設されている。
【００１４】
回転シリンダ５は、ドラムベース７に取りつけられている。この回転シリンダ５は、テープカセットから引き出された磁気テープ（図示せず）が所定角度にわたり巻付けられ、テープ走行に伴い磁気テープに対して磁気記録再生処理を行なう。
テープローディング機構６は、テープカセットから磁気テープを引き出し、上記の回転シリンダ５に所定角度にわたり巻き付けるための機構である。このテープローディング機構６は、図１に示されるモード切り換え機構２０により駆動される構成となっている。
【００１５】
このテープローディング機構６は、本実施例では所謂Ｍローディングを採用している。このテープローディング機構６は、前記のようにモード切り換え機構２０に駆動されて一対のローディングベース１２，１３をドラムベース７に形成されたガイド溝１４，１５に沿って移動させ、これに伴い磁気テープをローディング或いはアンローディングする構成とされている。この一対のローディングベース１２，１３上には、磁気テープをローディングするためのローディングポスト１６，１７及び傾斜ポール１８，１９が立設されている。
【００１６】
モード切り換え機構２０は、図示しないモード切り換え用ギヤ，リンク，モード切り換えプレート等により構成されている。モード切り換え用ギヤはモード切り換えモータ２０により回転駆動される構成とされている。また、モード切り換えプレートには、装置１を構成する各機構（カセット装着脱機構３，テープローディング機構６等）が接続されており、モード切り換えモータ２０によりモード切り換えプレートが所定モード切り換え位置に移動することにより、装置１のモードが切り換えられる構成となっている。
【００１７】
また、ピンチローラアーム３９もモード切り換え機構２０により回動する構成とされている。モード切り換え機構２０によりピンチローラアーム３９が回動すると、ピンチローラアーム２３に配設されているピンチローラ２２は磁気テープをキャプスタンモータ１１の回転軸であるキャプスタン軸に圧接する。これにより、磁気テープはキャプスタンモータ１１の回転速度及び回転方向に応じてテープ走行速度及びテープ走行方向が制御される。
【００１８】
カセット装着脱機構３は、テープカセット（図示せず）を装置１内の所定記録再生処理位置に装着するためのものである。このカセット装着脱機構３は、大略するとテープカセットが挿入装着されるカセットホルダ２４，シャーシ２上を図中矢印Ｘ１，Ｘ２方向に移動可能とされたスライダーカム２７，及びスライダーカム２７を移動させる駆動アーム７０等により構成されている。
【００１９】
カセットホルダ２４は、一対の側面ガイド２５の下部に底板４５が配設されると共に上部に天板４６が配設された筐体形状とされており、その内部空間内にテープカセットが挿入装着される。また、天板４６の両側位置には、カセットホルダ２４に挿入装着されたテープカセットの上面を押圧するカセット押さえバネ４７が配設されている。このカセット押さえバネ４７によりテープカセットは底板４５に押圧され、これによりカセットホルダ２４内においてテープカセットにガタツキが発生することを防止している。
【００２０】
また、天板４６の中央位置には、カセット係止バネ４８が配設されている。このカセット係止バネ４８は、テープカセットの上面に形成されている係止溝部と係合することにより、テープカセットをカセットホルダ２４内に係止する機能を奏するものである。
また、各側面ガイド２５には、外側に向けそれぞれ延出したシャフト４９，５０が植設されている。このシャフト４９，５０は、後述するスライダーカム２７に形成された傾斜溝５８，５９に係合すると共に、シャーシ２の両側に立設された側壁２６に形成されたＬ字状長孔４３，４４に係合している。尚、シャフト５０とＬ字状長孔４４との間にはブッシュ６８が介装され、またこの各ブッシュ６８は、ネジ６７がシャフト５０に螺着することによりシャフト５０に回転自在に固定されている。
【００２１】
スライダーカム２７は、板状材をプレス成形することにより一体的に形成されており、上板５５と側板５６とを有した構成とされている。上板５５には後述するプロテクト機構８Ａ，８Ｂが配設されており、また側板５６には前記したカセットホルダ２４に設けられたシャフト４９，５０が挿通係合する傾斜溝５８，５９（カム）が形成されている。また、上板５５の略中央位置には被係合口６０が穿設されると共に、この被係合口６０の近傍位置には後述するトーションバネ８０が取り付けられるバネ取付け用ピン６１が立設されている。
【００２２】
前記したカセットホルダ２４の移動軌跡は、スライダーカム２７に形成された傾斜溝５８，５９と、シャーシ２の側壁２６に形成されたＬ字状長孔４３，４４とにより決められている。よって、駆動アーム７０によりスライダーカム２７が図中矢印Ｘ１方向に移動すると、カセットホルダ２４に設けられスライダーカム２７の傾斜溝５８，５９に係合しているシャフト４９，５０は、スライダーカム２７の移動に伴いＬ字状長孔４３，４４に案内されて移動する。
【００２３】
これにより、先ずカセットホルダ２４は図中矢印Ｘ１方向に水平移動しその後に下動し、カセットホルダ２４に装着されたテープカセットは、装置１内の所定記録再生位置まで搬送される。また、スライダーカム２７が図中矢印Ｘ２方向に移動することにより、カセットホルダ２４は上記と逆の動作を行い、所定記録再生位置から所定イジェクト位置（テープカセットをカセットホルダ２４に装着脱する位置）へ移動する。
【００２４】
駆動アーム７０は、図６に拡大して示すように、プッシュ部７２，アーム部７３，レバー部７４，及び係合部７７等により構成されている。ブッシュ部７２はその中央に軸孔７２ａを有した筒状形状を有しており、シャーシ２に立設されたシャフト７１に軸承される。これにより、駆動アーム７０はシャフト７１を中心として回動自在な構成となっている。
【００２５】
アーム部７３はプッシュ部７２の上部より水平方向に延出しており、その先端部に係合部７７が形成されている。また、レバー部７４はプッシュ部７２の上部より下方に延出すると共に、その先端部７４ａは折り曲げられてＬ字形状を有した構成とされている。そして、この先端部７４ａにピン７５が下方に向け突出するよう配設されている。
【００２６】
このピン７５は、図２に示すようにシャーシ２に形成された長孔８１を介してモード切り換え機構２０のモード切り換え用ギヤに接続されている。よって、モード切り換え機構２０が駆動することにより、駆動アーム７０はシャフト７１を中心として図１に矢印Ａ１，Ａ２で示す方向に回動する。
また、アーム部７３の先端部に形成された係合部７７は、被係合口６０に挿通されることによりスライダーカム２７と係合している。よって、駆動アーム７０が矢印Ａ１方向に回動することによりスライダーカム２７は図中矢印Ｘ２方向に移動し、駆動アーム７０が矢印Ａ２方向に回動することによりスライダーカム２７は図中矢印Ｘ１方向に移動する構成とされている。
【００２７】
また、スライダーカム２７が駆動アーム７０により駆動される際、被係合口６０と係合部７７との間でガタツキが発生することを防止するため、スライダーカム２７と係合部７７との間にはトーションバネ８０が配設されている。このトーションバネ８０の一端部８０ａは係合部７７に掛止され、他端部８０ｂはスライダーカム２７のバネ掛止部６９に掛止されている。そして、このトーションバネ８０の弾性力により係合部７７を被係合口の縁部に常に押圧付勢することにより、上記ガタツキの発生を防止している。
【００２８】
図７は、係合部７７を拡大して示す図である。同図に示すように、係合部７７は、スライダーカム２７に形成された被係合口６０の縁部に当接するポスト部７７ａと、その上部にトーションバネ８０の端部８０ａが当接する樹脂製のバネ受け部７８とを有した構成とされている。また、バネ受け部７８の下部にはポスト部７７ａと一体的に鍔部７７ｂが形成されており、更にバネ受け部７８の上部にはトーションバネ８０の端部８０ａが係合部７７から離脱するのを防止する離脱防止板７９が配設されている。
【００２９】
ここで、バネ受け部７８とトーションバネ８０の端部８０ａが当接する位置におけるバネ受け部７８の形状に注目すると、本実施例ではこの当接位置位置に湾曲凹部７８ａが形成されている。この湾曲凹部７８ａは、トーションバネ８０の断面形状に対応した形状を有するよう形成されている。
このように、バネ受け部７８にトーションバネ８０の断面形状に対応した湾曲凹部７８ａを形成することにより、トーションバネ８０とバネ受け部７８（湾曲凹部７８ａ）は面接触となり当接面積を広くすることができる。また、トーションバネ８０は湾曲凹部７８ａに係合することにより、その図中矢印Ｃ１，Ｃ２方向の移動が規制される。
【００３０】
よって、バネ受け部材７８とトーションバネ８０との間において摩耗粉が発生することを抑制することができる。これにより、他の機器に摩耗粉が付着することによる悪影響の発生を防止でき、よって良好な磁気記録再生処理を確保することができる。
また、バネ受け部材７８は樹脂により形成されているため、トーションバネ８０の断面形状に対応した湾曲凹部７８ａを容易に成形することができる。更に、バネ受け部材７８の材料として滑り性の良好な樹脂材料を用いることにより、グリースを不要とすることができる。よって、グリースが他の機器に付着することを防止でき、これによっても良好な磁気記録再生処理を確保することができる。
【００３１】
プロテクト機構８Ａ，８Ｂは、テープカセットが装着されていない状態において、カセットホルダ２４がシャーシ２上で不要に変位することを防止する機能を奏するものである。よって、このプロテクト機構８Ａ，８Ｂにより、装置１内にテープカセット以外の異物が挿入されても、カセットホルダ２４は移動することはない。これにより、装置１内に異物が侵入することを防止でき、異物挿入による装置１の損傷を防止することができる。以下、プロテクト機構８Ａ，８Ｂの具体的構成について説明する。
【００３２】
尚、プロテクト機構８Ａとプロテクト機構８Ｂは、図１及び図３（Ａ）に図示される状態において、上下略対称に配設されている。よって、各プロテクト機構８Ａ，８Ｂの対応する構成要素については、同一符号を付して説明するものとする。
プロテクト機構８Ａ，８Ｂはスライダーカム２７の上板５５に配設されており、よってスライダーカム２７の移動に伴い図中矢印Ｘ１，Ｘ２方向に移動する構成とされている。このプロテクト機構８Ａ，８Ｂは、大略するとプロテクターカムアーム３０，プロテクターアーム３６，第１及び第２の係合凹部３５，４０等により構成されている。
【００３３】
プロテクターカムアーム３０は、図４に拡大して示すように、カセット係合アーム部３１，カム部３２，第１のロック片３３等を一体的に形成した構成とされている。このプロテクターカムアーム３０には軸孔４３ａが形成されており、この軸孔４３ａはスライダーカム２７に立設された支軸３４に軸承されている。よって、プロテクターカムアーム３０は、支軸３４に回転可能に軸承されている。
【００３４】
また、プロテクターカムアーム３０はカム部３２を有しており、その形成位置はカセット係合アーム部３１の形成位置に対し軸孔４３ａを中心として反対側の端部に選定されている。このカム部３２は略台形状を有した凹部であり、このカム部３２内に後述するプロテクターアーム３６の従動部３７が係合する構成とされている。この係合の際、従動部３７はカム部３２内において変位可能となるよう構成されている。
【００３５】
第１のロック片３３は、シャーシ２に立設された側壁２６に向け突出するよう形成されている。この第１のロック片３３は、未装着状態において側壁２６に形成された第１の係合凹部３５と係合するよう構成されている（図１参照）。
一方、プロテクターアーム３６は、図５に拡大して示すように、大略すると従動部３７及び第２のロック片３８を一体的に形成した構成とされている。プロテクターアーム３６には軸孔３９ａが形成されており、この軸孔３９ａがスライダーカム２７に立設された支軸３９に軸承されている。よって、プロテクターアーム３６は、支軸３９に回転可能に軸承されている。
【００３６】
従動部３７は、前記のようにプロテクターカムアーム３０に形成されたカム部３２に係合するよう突出形成されている。また、第２のロック片３８は、シャーシ２に立設された側壁２６に向け突出するよう形成されている。この第１のロック片３３は、未装着状態において側壁２６に形成された第２の係合凹部４０と係合するよう構成されている。
【００３７】
また、プロテクターアーム３６はバネ掛止部３６ａを有しており、このバネ掛止部３６ａとスライダーカム２７との間にはコイルバネ５７が張架されている。このコイルバネ５７は、プロテクターアーム３６を図３（Ａ）に矢印Ｂ１で示す方向に回動付勢する弾性力を発生させる。
よって、このプロテクターアーム３６は、カム部３２がカム部３２と係合していることによりプロテクターカムアーム３０に伝達され、プロテクターカムアーム３０はコイルバネ５７の弾性力により図３（Ａ）に矢印Ｄ１で示す方向に回動付勢される。しかるに、各アーム３０，３６は、前記したように第１及び第２のロック片３３，３８がシャーシ２の側壁２６と係合することにより、それ以上の回動が規制される構成となっている。
【００３８】
続いて、上記構成とされたプロテクト機構８Ａ，８Ｂの動作について説明する。図１において、右側に位置する未装着状態のプロテクト機構８Ａにおいてテープカセットがカセットホルダ２４に正規の状態で挿入される（矢印Ｘ１方向に挿入される）と、この挿入動作に伴いテープカセットの先端部はカセット係合アーム部３１に係合しこれを押圧する。よって、プロテクターカムアーム３０はコイルバネ５７の弾性力に抗して支軸３４を中心として回動し、これにより第１のロック片３３も回動し、第１の係合凹部３５と第１のロック片３３との係合は解除される。
【００３９】
また、上記のようにプロテクターカムアーム３０が回動することにより、カム部３２も回動し、よってカム部３２と係合している従動部３７を介しプロテクターアーム３６も支軸３９を中心として回動付勢される。このように、プロテクターアーム３６が回動すると、これに伴い第２のロック片３８も回動し、よって第２の係合凹部４０と第２のロック片３８との係合は解除される。これにより、スライダーカム２７はシャーシ２に対し移動可能な状態となる。
【００４０】
これに対し、テープカセットがカセットホルダ２４に異常な状態で挿入された場合（例えば、傾いて挿入され他場合等）は、プロテクターカムアーム３０は正常に回動せず、よって第１及び第２のロック片３３，３８は第１及び第２の係合凹部３５，４０と係合した状態を維持する。従って、スライダーカム２７は、シャーシ２にロックされた状態を維持する。
【００４１】
このように、プロテクト機構８Ａ，８Ｂを設けることにより、テープカセットが正規の状態で挿入された時以外は、スライダーカム２７（即ち、カセットホルダ２４）のシャーシ２に対する移動が規制され、よって異物の装置１内への侵入を防止することができる。
ところで、上記構成とされたプロテクト機構８Ａ，８Ｂは、装置１の組立時において予めスライダーカム２７に配設した上で組み込まれる。よって、従来のように単に各アーム１３０，１３６が支軸１３４，１３９に回動自在に軸承された構成であると、コイルバネ１５７の弾性力によりプロテクターアーム１３６が過回動すると、プロテクターアーム１３６の従動部３７がプロテクターカムアーム１３０のカム部１３２から離脱して各アーム１３０，１３６の係合が解除されてしまい組立作業性の低下等の種々の問題が発生してしまうことは前述した通りである（図８参照）。
【００４２】
これに対して本実施例では、プロテクターアーム３６の回動を所定位置で規制する回動規制片６２を設けている（図２及び図３（Ａ）に詳しい）。この回動規制片６２は、コイルバネ５７の弾性力により回動付勢されるプロテクターアーム３６の回動範囲（この範囲は、コイルバネ５７に永久変形が生じない範囲でもある）内で、かつ、プロテクターカムアーム３０とプロテクターアーム３６との係合が解除される係合解除位置に至る前の所定回動位置に設けられている。
【００４３】
この構成とすることにより、プロテクターアーム３６がプロテクターカムアーム３０との係合を解除する方向に回動しても、各アーム３０，３６の係合が解除させる前に、プロテクターアーム３６は回動規制片６２と係合してその回動が規制される。よって、回動規制片６２を設けることにより、各アーム３０，３６の係合が解除されることを確実に防止することができる。
【００４４】
これにより、スライダーカム２７をシャーシ２上に組み込む際、従来必要とされたプロテクターカムアーム３０とプロテクターアーム３６とを係合させる処理は不要となり、装置１の組立性の向上を図ることができる。また、組立時において組立作業者により、各アーム３０，３６を過回転してしまうことを防止することができ、コイルバネ５７に永久変形が発生する（損傷する）ことを防止することができる。
【００４５】
更に、本実施例では回動規制片６２をスライダーカム２７に一体的に形成された切り起こし部により構成している。よって、回動規制片６２を別部品としてスライダーカム２７に配設する構成に比べ、部品点数の削減及び組立工数の低減を図ることができ、よって装置１のコスト低減を図ることができる。
尚、上記した実施例では、回動規制片６２が上記所定位置においてプロテクターアーム３６と係合しその回動を規制する構成としたが、回動規制片６２がプロテクターカムアーム３０と上記所定位置で係合しその回動を規制する構成とすることも可能である。
【００４６】
【発明の効果】
上述の如く本発明によれば、トーションバネと凹部は面接触となり当接面積を広くすることができ、またトーションバネは凹部に係合することによりその移動を規制することができるため、バネ受け部材とトーションバネとの間において摩耗粉が発生することを抑制することができる。これにより、他の機器に摩耗粉による悪影響が発生することを防止できるため、良好な磁気記録再生処理を行うことができる。
【００４７】
また、バネ受け部材は樹脂により形成されているため、トーションバネの断面形状に対応した凹部を容易に成形することができる。
【図面の簡単な説明】
【図１】本発明の一実施例である磁気記録再生装置を示しており、（Ａ）はその平面図、（Ｂ）はその正面図である。
【図２】本発明の一実施例である磁気記録再生装置の分解斜視図である。
【図３】本発明の一実施例である磁気記録再生装置に設けられるスライダーカムを示しており、（Ａ）はその平面図、（Ｂ）はその正面図、（Ｃ）はその左側面図である。
【図４】本発明の一実施例である磁気記録再生装置に設けられるプロテクターカムアームの平面図である。
【図５】本発明の一実施例である磁気記録再生装置に設けられるプロテクターアームの平面図である。
【図６】本発明の一実施例である磁気記録再生装置に設けられる駆動アームを示しており、（Ａ）はその平面図、（Ｂ）はその正面図である。
【図７】駆動アームの係合ピンを拡大して示す図である。
【図８】従来の磁気記録再生装置に設けられていた駆動アームの係合ピンを拡大して示す図である。
【符号の説明】
２  シャーシ
３  カセット装着脱機構
４  リール駆動機構
５  回転シリンダ
６  テープローディング機構
８Ａ，８Ｂ  プロテクト機構
１１  キャプスタン
２０  モード切り換え機構
２１  モード切り換えギヤ
２４  カセットホルダ
２７  スライダーカム
３０  プロテクターカムアーム
３１  カセット係合アーム部
３２  カム部
３３  第１のロック片
３５  第１の係合凹部
３６  プロテクターアーム
３７  従動部
３８  第２のロック片
４０  第２の係合凹部
４７  カセット押さえバネ
５７  コイルバネ
６０  被係合口
６１  バネ取付け用ピン
６２  回動規制片
７０  駆動アーム
７１  シャフト
７２  ブッシュ部
７３  アーム部
７４  レバー部
７５  ピン
７７  係合部
７８  バネ受け部材
７８ａ  湾曲凹部
８０  トーションバネ
８０ａ，８０ｂ  端部
【図１】
0004228480.tif 000002
【図２】
0004228480.tif 000003
【図３】
0004228480.tif 000004
【図４】
0004228480.tif 000005
【図５】
0004228480.tif 000006
【図６】
0004228480.tif 000007
【図７】
0004228480.tif 000008
【図８】
0004228480.tif 000009